(57)【特許請求の範囲】
【請求項１】
携帯情報端末によりアクセス可能なサーバであり、前記携帯情報端末に対してクーポン情報を提供するサーバと、
前記クーポン情報を表示したフレームを含む画像を撮影する撮影手段と、前記撮影手段により撮影した前記クーポン情報を表示したフレームを含む画像を通信ネットワークを介して共有化し、共有化したことに関する情報（以下、「共有化情報」と称す。）を前記サーバへ送信する共有化手段と、前記クーポン情報を表示したフレームを含む画像を電子クーポンとして利用するクーポンの利用申請を行うクーポン利用申請手段として携帯情報端末を機能させるための電子クーポン配布プログラムと
を含み、
前記サーバは、前記クーポン情報を記憶するクーポン情報記憶手段と、前記クーポン情報記憶手段に記憶された前記クーポン情報を前記携帯情報端末に提供するクーポン情報提供手段と、前記送信された共有化情報を前記クーポン情報記憶手段へ登録し、前記クーポン情報記憶手段に記憶された共有化情報に基づいて、随時所定の条件を満たしているかどうかチェックを行い、所定の条件を満たした場合に前記クーポン情報を表示したフレームを含む画像を電子クーポンとして利用可能として前記クーポン情報を管理するクーポン情報管理手段であり、前記クーポン利用申請手段により行われたクーポンの利用申請に対する承認を、前記サーバにアクセスして前記クーポン情報の登録を行う管理用情報端末に要求するクーポン情報管理手段とを有する
ことを特徴とする電子クーポン配布システム。
【請求項２】
前記電子クーポン配布プログラムは、さらに前記携帯情報端末を、複数のクーポン情報を提供するサーバにアクセスして前記複数のクーポン情報のうち前記撮影手段により撮影する画像に表示されるクーポン情報を選択して取得するクーポン選択手段として機能させるためのものである請求項１記載の電子クーポン配布システム。
【請求項３】
前記サーバからの要求に基づき前記クーポンの利用申請の承認を行うクーポン承認手段を有する前記管理用情報端末を含む請求項１または２に記載の電子クーポン配布システム。
【請求項４】
携帯情報端末によりアクセス可能なサーバであり、前記携帯情報端末に対してクーポン情報を提供するサーバと、
前記クーポン情報を表示したフレームを含む画像を撮影する撮影手段と、前記撮影手段により撮影した前記クーポン情報を表示したフレームを含む画像を通信ネットワークを介して共有化し、共有化したことに関する情報（以下、「共有化情報」と称す。）を前記サーバへ送信する共有化手段と、前記クーポン情報を表示したフレームを含む画像を電子クーポンとして利用するクーポンの利用申請を行うクーポン利用申請手段とを有する携帯情報端末と、
前記サーバにアクセスして前記クーポン情報の登録を行う管理用情報端末と
を含み、
前記サーバは、前記クーポン情報を記憶するクーポン情報記憶手段と、前記クーポン情報記憶手段に記憶された前記クーポン情報を前記携帯情報端末に提供するクーポン情報提供手段と、前記送信された共有化情報を前記クーポン情報記憶手段へ登録し、前記クーポン情報記憶手段に記憶された共有化情報に基づいて、随時所定の条件を満たしているかどうかチェックを行い、所定の条件を満たした場合に前記クーポン情報を表示したフレームを含む画像を電子クーポンとして利用可能として前記クーポン情報を管理するクーポン情報管理手段であり、前記クーポン利用申請手段により行われたクーポン利用申請に対する承認を前記管理用情報端末に要求するクーポン情報管理手段とを有し、
前記管理用情報端末は、前記サーバからの要求に基づきクーポン利用申請の承認を行うクーポン承認手段を有する
ことを特徴とする電子クーポン配布システム。
【請求項５】
前記クーポン情報管理手段は、前記クーポンの利用申請に対する承認が行われると、対象の電子クーポンが利用されたことを前記クーポン情報記憶手段に記憶するものである請求項１から４のいずれか１項に記載の電子クーポン配布システム。
【請求項６】
クーポン情報を提供するサーバに携帯情報端末によりアクセスしてクーポン情報を取得すること、
前記クーポン情報を表示したフレームを含む画像を前記携帯情報端末により撮影すること、
前記撮影した前記クーポン情報を表示したフレームを含む画像を通信ネットワークを介して前記携帯情報端末により共有化し、共有化したことに関する情報（以下、「共有化情報」と称す。）を前記サーバへ送信すること、
前記クーポン情報を表示したフレームを含む画像を電子クーポンとして利用するクーポンの利用申請を前記携帯情報端末により行うこと、
前記サーバが、前記送信された共有化情報をクーポン情報記憶手段へ登録し、前記クーポン情報記憶手段に記憶された共有化情報に基づいて、随時所定の条件を満たしているかどうかチェックを行い、所定の条件を満たした場合に前記クーポン情報を表示したフレームを含む画像を電子クーポンとして利用可能とし、前記クーポンの利用申請に対する承認を、前記サーバにアクセスして前記クーポン情報の登録を行う管理用情報端末に要求すること、
前記サーバからの要求に基づき前記クーポンの利用申請の承認を前記管理用情報端末により行うこと
を含む電子クーポン配布方法。
【発明の詳細な説明】
【技術分野】
【０００１】
本発明は、電子化された電子クーポンを配布するための電子クーポン配布システムおよび電子クーポン配布方法に関する。
【背景技術】
【０００２】
従来、クーポン券は、商品やサービス等の割引情報や無料情報等の特典が記載された紙媒体が中心であったが、近年の携帯電話やスマートフォン等の携帯情報端末の普及に伴い、この紙媒体のクーポン券が電子化された電子クーポンが利用されるようになってきている。
【０００３】
従来、この種の電子クーポンは、予め準備した電子クーポンをクーポン提供者のホームページ等に公開しておき、クーポン利用者がこのホームページに携帯情報端末によりアクセスしてダウンロードしたり（例えば、特許文献１参照。）、電子メールにより利用者の携帯情報端末に送信したりすることによって配布されている。
【先行技術文献】
【特許文献】
【０００４】
【特許文献１】特開２００３−１５７４０１号公報
【発明の概要】
【発明が解決しようとする課題】
【０００５】
ところが、従来の電子クーポンの配布方法では、クーポン利用者が積極的にクーポン提供者のホームページにアクセスしない限り配布されることがなく、クーポン提供者は電子クーポンを配布しているホームページにどのようにアクセスさせるか、またどのようにして電子クーポンを広めるか、苦悩している。
【０００６】
そこで、本発明においては、電子クーポンを効率良く広めることが可能な電子クーポン配布システムおよび電子クーポン配布方法を提供することを目的とする。
【課題を解決するための手段】
【０００７】
本発明の電子クーポン配布プログラムは、クーポン情報を表示したフレームを含む画像を撮影する撮影手段と、撮影手段により撮影した画像を通信ネットワークを介して共有化する共有化手段として携帯情報端末を機能させるためのプログラムである。本発明の電子クーポン配布プログラムを実行した携帯情報端末によれば、クーポン情報を表示したフレームを含む画像を撮影し、この撮影した画像を通信ネットワークを介して共有化することで、クーポン情報を表示したフレームを含む画像を電子クーポンとして多数の利用者の目に触れる状態にすることが可能となる。
【０００８】
ここで、共有化手段としては、例えば、フェイスブック社が提供するｆａｃｅｂｏｏｋ（登録商標）、ツイッター社が提供するＴｗｉｔｔｅｒ（登録商標）やＬＩＮＥ社が提供するＬＩＮＥ（登録商標）などの他、ウェブサイト、ウェブログ（ブログ）や電子掲示板などのＳＮＳ（ソーシャル・ネットワーキング・サービス）への投稿などの通信ネットワーク上で広く公開して共有可能にする手段をいう。
【０００９】
また、本発明の電子クーポン配布プログラムは、さらに携帯情報端末を、複数のクーポン情報を提供するサーバにアクセスして複数のクーポン情報のうち撮影手段により撮影する画像に表示されるクーポン情報を選択して取得するクーポン選択手段として機能させるためのプログラムであることが望ましい。この電子クーポン配布プログラムを実行した携帯情報端末によれば、サーバから提供される複数のクーポン情報の中から所望のクーポン情報を選択し、この選択したクーポン情報を表示したフレームを含む画像を撮影し、この撮影した画像を通信ネットワークを介して共有化することで、選択したクーポン情報を表示したフレームを含む画像を電子クーポンとして多数の利用者の目に触れる状態にすることができる。
【００１０】
また、本発明の電子クーポン配布システムは、クーポン情報を表示したフレームを含む画像を撮影する撮影手段と、撮影手段により撮影した画像を通信ネットワークを介して共有化する共有化手段とを含む携帯情報端末と、携帯情報端末によりアクセス可能なサーバであり、携帯情報端末に対してクーポン情報を提供するサーバとを含むことを特徴とする。本発明の電子クーポン配布システムによれば、携帯情報端末からサーバにアクセスしてクーポン情報を取得し、このクーポン情報を表示したフレームを含む画像を撮影し、この撮影した画像を通信ネットワークを介して共有化することで、クーポン情報を表示したフレームを含む画像を電子クーポンとして多数の利用者の目に触れる状態にすることが可能となる。
【００１１】
また、本発明の電子クーポン配布方法は、クーポン情報を表示したフレームを含む画像を携帯情報端末により撮影すること、撮影した画像を通信ネットワークを介して携帯情報端末により共有化することを含むことを特徴とする。本発明の電子クーポン配布方法によれば、クーポン情報を表示したフレームを含む画像を携帯情報端末により撮影し、この撮影した画像を通信ネットワークを介して共有化することで、クーポン情報を表示したフレームを含む画像を電子クーポンとして多数の利用者の目に触れる状態にすることが可能となる。
【００１２】
また、本発明の電子クーポン配布方法は、クーポン情報を提供するサーバに携帯情報端末によりアクセスしてクーポン情報を取得すること、クーポン情報を表示したフレームを含む画像を携帯情報端末により撮影すること、撮影した画像を通信ネットワークを介して携帯情報端末により共有化することを含むことを特徴とする。本発明の電子クーポン配布方法によれば、携帯情報端末からサーバにアクセスしてクーポン情報を取得し、このクーポン情報を表示したフレームを含む画像を撮影し、この撮影した画像を通信ネットワークを介して共有化することで、クーポン情報を表示したフレームを含む画像を電子クーポンとして多数の利用者の目に触れる状態にすることが可能となる。
【発明の効果】
【００１３】
本発明によれば、携帯情報端末によりクーポン情報を表示したフレームを含む画像を撮影し、この撮影した画像を通信ネットワークを介して共有化することで、クーポン情報を表示したフレームを含む画像を電子クーポンとして多数の利用者の目に触れる状態にして、電子クーポンを効率良く広めることが可能となる。
【図面の簡単な説明】
【００１４】
【図１】本発明の第１実施形態における電子クーポン配布システムのブロック図である。
【図２】携帯情報端末の表示例を示す説明図である。
【図３】クーポン情報を表示したフレームを含む画像の例を示す図である。
【図４】本発明の第１実施形態における電子クーポン配布システムのフロー図である。
【図５】本発明の第２実施形態における電子クーポン配布システムの全体構成図である。
【図６】図５の電子クーポン配布システムの機能ブロック図である。
【図７】本発明の第２実施形態における電子クーポン配布システムのフロー図である。
【図８】本発明の第３実施形態における電子クーポン配布システムの全体構成図である。
【図９】図８の電子クーポン配布システムの機能ブロック図である。
【発明を実施するための形態】
【００１５】
（実施の形態１）
図１は本発明の第１実施形態における電子クーポン配布システムのブロック図である。
図１において、本発明の第１実施形態における電子クーポン配布システムは、携帯情報端末１により構成される。携帯情報端末１は、本発明の実施の形態における電子クーポン配布プログラムの実行により、クーポン情報を表示したフレームを含む画像を撮影する撮影手段１０と、撮影手段１０により撮影した画像を通信ネットワークを介して共有化する共有化手段１１として機能する。
【００１６】
クーポン情報は、商品やサービス等を提供する提供者に関する情報（以下、「提供者情報」と称す。）、提供者により提供される商品やサービス等に関する情報（以下、「商品等情報」と称す。）や、商品やサービス等の割引情報や無料情報等の特典に関する情報（以下、「特典情報」と称す。）等である。提供者情報は、提供者の名前（店名）、住所や連絡先等の提供者を特定する情報である。商品等情報は、提供者により提供される商品やサービス等の内容を表す名称（例えば、商品名、料理名やサービス名など）等の商品やサービス等を特定する情報である。特典情報は、特典の内容（割引率、割引額や無料など）を特定する情報である。
【００１７】
撮影手段１０は、図２に示すように携帯情報端末１のディスプレイ１２に、上記クーポン情報を含むフレーム１３を表示する。利用者が、このフレーム１３内に、提供者により提供される商品やサービス等の内容を表すものを収めてシャッターボタン１４を押すと、図３に示すようにクーポン情報を表示したフレーム１３を含む画像１５が撮影される。
【００１８】
共有化手段１１は、撮影手段１０により撮影した画像１５を、例えば、フェイスブック社が提供するｆａｃｅｂｏｏｋ（登録商標）、ツイッター社が提供するＴｗｉｔｔｅｒ（登録商標）やＬＩＮＥ社が提供するＬＩＮＥ（登録商標）などの他、ウェブサイト、ウェブログ（ブログ）や電子掲示板などのＳＮＳ（ソーシャル・ネットワーキング・サービス）２へインターネット等の通信ネットワークを介して投稿する。
【００１９】
図４は本発明の第１実施形態における電子クーポン配布システムのフロー図である。
上記構成の電子クーポン配布システムでは、図４に示すように、利用者が携帯情報端末１により、クーポン情報を表示したフレーム１３を含む画像１５を撮影し（ステップＳ１０１）、撮影した画像１５を通信ネットワークを介して共有化する（ステップＳ１０２）。これにより、クーポン情報を表示したフレーム１３を含む画像１５を電子クーポンとして多数の利用者の目に触れる状態にすることが可能となる。
【００２０】
一方、このクーポン情報を表示したフレーム１３を含む画像１５をＳＮＳ２上で見た他の利用者は、各自の携帯情報端末によりこの画像１５を取得して、この取得した画像１５を電子クーポンとして商品やサービス等を提供する提供者に提示することで、この画像に含まれるフレーム１３に表示されたクーポン情報に基づく特典を得ることができる。
【００２１】
（実施の形態２）
図５は本発明の第２実施形態における電子クーポン配布システムの全体構成図、図６は図５の電子クーポン配布システムの機能ブロック図である。なお、図５および図６において、第１実施形態において説明した構成と共通する部分については、同一符号を付してその詳細な説明を省略する。
【００２２】
図５において、本発明の第２実施形態における電子クーポン配布システムは、携帯情報端末１と、携帯情報端末１によりアクセス可能なサーバ３とを含む。サーバ３は、携帯情報端末１に対して複数のクーポン情報を提供するものである。図６に示すように、サーバ３は、複数のクーポン情報を記憶するクーポン情報記憶手段３０と、クーポン情報記憶手段３０に記憶された複数のクーポン情報を提供するクーポン情報提供手段３１とを有する。
【００２３】
携帯情報端末１は、図６に示すように、本実施形態における電子クーポン配布プログラムの実行により、前述の撮影手段１０および共有化手段１１に加えて、サーバ３からクーポン情報を取得するクーポン選択手段２０として機能する。クーポン選択手段２０は、サーバ３にアクセスして複数のクーポン情報のうち撮影手段１０により撮影する画像に表示されるクーポン情報を選択して取得する。
【００２４】
クーポン情報提供手段３１は、携帯情報端末１のクーポン選択手段２０からの要求に対して多様な検索条件を提供する。例えば、クーポン情報提供手段３１は、場所（駅、地域（都道府県、市など）、現在地）、キーワード（料理、店名など）、ジャンルなどの検索条件に基づいてクーポン情報記憶手段３０に記憶された複数のクーポン情報の中から該当するクーポン情報を取得し、携帯情報端末１へ提供する。
【００２５】
図７は本発明の第２実施形態における電子クーポン配布システムのフロー図である。
上記構成の電子クーポン配布システムでは、図７に示すように、利用者が携帯情報端末１により、サーバ３にアクセスして多様な検索条件により複数のクーポン情報から所望のクーポン情報を選択して取得する（ステップＳ２０１）。これにより、携帯情報端末１には、ここで選択したクーポン情報を表示したフレーム１３が表示され、利用者は携帯情報端末１により、クーポン情報を表示したフレーム１３を含む画像１５を撮影し（ステップＳ２０２）、撮影した画像１５を通信ネットワークを介して共有化する（ステップＳ２０３）。これにより、クーポン情報を表示したフレーム１３を含む画像１５を電子クーポンとして多数の利用者の目に触れる状態にすることが可能となる。
【００２６】
（実施の形態３）
図８は本発明の第３実施形態における電子クーポン配布システムの全体構成図、図９は図８の電子クーポン配布システムの機能ブロック図である。なお、図８および図９において、第１実施形態および第２実施形態において説明した構成と共通する部分については、同一符号を付してその詳細な説明を省略する。
【００２７】
図８において、本発明の第３実施形態における電子クーポン配布システムは、携帯情報端末１と、携帯情報端末１によりアクセス可能なサーバ３と、サーバ３にアクセスしてクーポン情報の登録等を行う管理用情報端末４とを含む。管理用情報端末４は、電子クーポンを発行して商品やサービス等を提供する提供者が使用するパーソナルコンピュータや携帯情報端末等である。
【００２８】
図９に示すように、サーバ３は、前述のクーポン情報記憶手段３０およびクーポン情報提供手段３１に加えて、クーポン情報記憶手段３０に記憶するクーポン情報を管理するクーポン情報管理手段３２を有する。
【００２９】
携帯情報端末１は、図９に示すように、本実施形態における電子クーポン配布プログラムの実行により、前述の撮影手段１０、共有化手段１１およびクーポン選択手段２０に加えて、クーポンの利用申請を行うクーポン利用申請手段２１として機能する。
【００３０】
なお、本実施形態においては、携帯情報端末１の共有化手段１１は、さらに、撮影手段１０により撮影した画像１５や投稿先のＳＮＳ２等の共有化したことに関する情報（以下、「共有化情報」と称す。）をサーバ３へ送信する。サーバ３のクーポン情報管理手段３２は、携帯情報端末１から送信された共有化情報をクーポン情報記憶手段３０に登録して管理する。
【００３１】
管理用情報端末４は、図９に示すように、サーバ３にアクセスしてクーポン情報の登録を行うクーポン情報登録手段４０と、クーポン利用申請手段２１によるクーポン利用申請に対する承認を行うクーポン承認手段４１とを有する。クーポン情報を提供して商品やサービス等を提供する提供者は、クーポン情報登録手段４０により予め前述のクーポン情報としての提供者情報、商品等情報および特典情報をサーバ３へ登録することが可能となっている。
【００３２】
本実施形態における電子クーポン配布システムでは、前述と同様に利用者が携帯情報端末１によりクーポン情報を表示したフレーム１３を含む画像１５を共有化すると、共有化手段１１が前述の共有化情報をサーバ３へ送信する。サーバ３は、この送信された共有化情報をクーポン情報記憶手段３０へ登録する。本実施形態における電子クーポン配布システムでは、利用者がクーポン情報を表示したフレーム１３を含む画像１５を単に共有化しただけではこの画像１５を電子クーポンとして利用することができず、所定の条件を満たした場合に利用可能となる。
【００３３】
ここで、画像１５を電子クーポンとして利用可能とするための所定の条件とは、例えば、ＳＮＳ２でのシェア数、レビュー数やチェックイン数等である。クーポン情報管理手段３２は、クーポン情報記憶手段３０に記憶された共有化情報に基づいて、随時これらの所定の条件を満たしているかどうかチェックを行い、所定の条件を満たした場合にその画像１５を電子クーポンとして利用可能とする。
【００３４】
そして、利用可能となった電子クーポンは、携帯情報端末１のクーポン利用申請手段２１によりクーポンの利用申請を行うことで利用可能となる。クーポン利用申請手段２１によりクーポンの利用申請を行うと、サーバ３のクーポン情報管理手段３２は、管理用情報端末４に対してクーポン利用申請手段２１により行われたクーポン利用申請に対する承認を要求する。提供者は、この利用申請に対して確認を行い、クーポン承認手段４１により承認を行う。クーポン承認手段４１により承認が行われると、サーバ３はクーポン情報管理手段３２により対象の電子クーポンが利用されたことをクーポン情報記憶手段３０に記憶する。
【００３５】
一方、ＳＮＳ２により共有された画像１５を見た他の利用者は、この画像１５を電子クーポンとして利用する際には、前述のクーポン利用申請手段２１として機能する携帯情報端末が必要となる。このクーポン利用申請手段２１として機能する携帯情報端末は、各利用者の所有する携帯情報端末で前述の電子クーポン配布プログラムを実行するか、別途携帯情報端末をクーポン利用申請手段２１として機能させる電子クーポン利用プログラムを実行することにより得ることが可能である。
【産業上の利用可能性】
【００３６】
本発明の電子クーポン配布システムおよび電子クーポン配布方法は、電子化された電子クーポンを配布するための装置および方法として有用である。
【符号の説明】
【００３７】
１  携帯情報端末
２  ＳＮＳ
３  サーバ
４  管理用情報端末
１０  撮影手段
１１  共有化手段
１２  ディスプレイ
１３  フレーム
１４  シャッターボタン
１５  画像
２０  クーポン選択手段
２１  クーポン利用申請手段
３０  クーポン情報記憶手段
３１  クーポン情報提供手段
３２  クーポン情報管理手段
４０  クーポン情報登録手段
４１  クーポン承認手段
【要約】
【課題】電子クーポンを効率良く広めることが可能な電子クーポン配布プログラム、電子クーポン配布システムおよび電子クーポン配布方法の提供。
【解決手段】クーポン情報を表示したフレームを含む画像を撮影する撮影手段１０と、撮影手段１０により撮影した画像を通信ネットワークを介して共有化する共有化手段１１とを含む携帯情報端末１と、携帯情報端末１によりアクセス可能なサーバ３であり、携帯情報端末１に対してクーポン情報を提供するサーバ３とを含む。
【選択図】図６【図１】
0005778324.tif 000002
【図２】
0005778324.tif 000003
【図３】
0005778324.tif 000004
【図４】
0005778324.tif 000005
【図５】
0005778324.tif 000006
【図６】
0005778324.tif 000007
【図７】
0005778324.tif 000008
【図８】
0005778324.tif 000009
【図９】
0005778324.tif 000010